(57)【要約】本発明は、例えばリファレンスシンボルとデータシンボルの双方に基づいて混合干渉推定値を決定することにより、干渉推定値を決定する際に、各送信リソースエレメントが影響を受ける干渉が、様々な送信リソースエレメントの間で異なりうることを考慮に入れる解決策に関わる。さらに、混合干渉推定値が何に基づくべきかを制御することを可能とする、ネットワークからのシグナリングも導入される。【選択図】図２
2011503944.tif 000002
【特許請求の範囲】
【請求項１】
移動通信ネットワークのネットワークノードに接続可能なユーザ機器における干渉推定値を決定する方法であって、
前記方法は、
少なくとも第１の種のリソースエレメントからの干渉推定値の集合を定める少なくとも第１の集合の混合パラメータを受信するステップ（３０１；４０１）と、
前記少なくとも第１の種のリソースエレメントについての干渉推定値を決定するステップ（３０２；４０２）と、
前記決定された干渉推定値に対して前記受信された少なくとも第１の集合の混合パラメータを適用して、前記少なくとも第１の種のリソースエレメントについての干渉推定値に基づいて、混合干渉推定値を決定するステップ（３０３；４０３）と、
を特徴とする、方法。
【請求項２】
前記受信された少なくとも第１の集合の混合パラメータは、少なくとも２つの異なる種類のリソースエレメントからの干渉推定値の混合を定め、前記決定される干渉推定値は、第１の種及び少なくとも第２の種のリソースエレメントについて推定され、前記決定される混合干渉は、前記干渉推定値に対して前記受信された少なくとも第１の集合の混合パラメータが適用されて、第１の種のリソースエレメントの干渉推定値と、少なくとも第２の種のリソースエレメントの干渉推定値とに基づいて推定される、請求項１に記載の方法。
【請求項３】
少なくとも１つの追加的な集合の混合パラメータを受信するステップ（４０１Ａ）と、
前記混合干渉推定値を繰り返し決定する際に、前記第１の集合及び前記追加的な集合の混合パラメータを断続的に適用するステップ（４０３Ａ）と、
をさらに含む、請求項１又は２のいずれか１項に記載の方法。
【請求項４】
前記第１の集合の混合パラメータ及び前記少なくとも１つの追加的な集合の混合パラメータは、異なる集合の干渉推定値を定める、請求項３に記載の方法。
【請求項５】
前記少なくとも第１の集合の混合パラメータは、少なくとも３つの異なる種類のリソースエレメントからの干渉推定値の混合を定め、前記混合干渉推定値の前記決定は、第３の種のリソースエレメントの干渉推定値にも基づく、請求項２〜４のいずれか１項に記載の方法。
【請求項６】
混合パラメータの前記集合は重み付けを含む、請求項１〜５のいずれか１項に記載の方法。
【請求項７】
前記混合パラメータの集合は、干渉を推定すべきシンボルの集合を含み、少なくとも１つのシンボルの集合は、異なる種類のリソースエレメントを含む、請求項１〜６のいずれか１項に記載の方法。
【請求項８】
前記異なる種類のリソースエレメントは、リファレンスシンボル、データシンボル、若しくは制御チャネル上のリファレンスシンボル、又はその組合せを含むリソースエレメント群から選択される、請求項１〜７のいずれか１項に記載の方法。
【請求項９】
前記決定された混合干渉推定値に基づいてチャネル品質インジケータを決定するステップ（３０５；４０５）と、
前記移動通信ネットワークの前記ネットワークノードへと前記チャネル品質インジケータを送信するステップ（３０６；４０６）と、
をさらに含む、請求項１〜８のいずれか１項に記載の方法。
【請求項１０】
前記決定された混合干渉推定値をフィルタリングし、又は、前記少なくとも第１の種のリソースエレメントについての前記決定された干渉推定値をフィルタリングするステップ（３０４）をさらに含む、請求項１〜９のいずれか１項に記載の方法。
【請求項１１】
ユーザ機器に無線接続可能な移動通信ネットワークのネットワークノードにおける干渉推定値を決定する方法であって、
前記方法は、
前記ユーザ機器において混合干渉推定値を決定するために使用される、少なくとも第１の種のリソースエレメントからの干渉推定値の混合を定める少なくとも第１の集合の混合パラメータを定めるステップ（５０１）と、
少なくとも第１の種のリソースエレメントからの干渉推定値の混合を定める前記少なくとも第１の集合の混合パラメータを、前記ユーザ機器へと送信するステップ（５０２）と、
を特徴とする、方法。
【請求項１２】
前記少なくとも第１の集合の混合パラメータは、少なくとも２つの異なる種類のリソースエレメントからの干渉推定値の混合を定める、請求項１１に記載の方法。
【請求項１３】
混合パラメータの前記集合は重み付けを含む、請求項１１又は１２のいずれか１項に記載の方法。
【請求項１４】
前記混合パラメータの集合は、干渉を推定すべきシンボルの集合を含み、少なくとも１つのシンボルの集合は、異なる種類のリソースエレメントを含む、請求項１１〜１３のいずれか１項に記載の方法。
【請求項１５】
前記異なる種類のリソースエレメントは、リファレンスシンボル、データシンボル、若しくは制御チャネル上のリファレンスシンボル、又はその組み合わせを含むリソースエレメント群から選択される、請求項１１〜１４のいずれか１項に記載の方法。
【請求項１６】
前記送信される前記少なくとも第１の集合の混合パラメータは、ブロードキャストチャネルで送信される、請求項１１〜１５のいずれか１項に記載の方法。
【請求項１７】
前記送信される前記少なくとも第１の集合の混合パラメータは、専用チャネルで送信される、請求項１１〜１５のいずれか１項に記載の方法。
【請求項１８】
移動通信ネットワークのネットワークノードに接続可能な、干渉推定値を決定するためのユーザ機器（ＵＥ：ｕｓｅｒ  ｅｑｕｉｐｍｅｎｔ）（２１０）であって、
前記ＵＥは、
少なくとも第１の種のリソースエレメントからの干渉推定値の集合を定める少なくとも第１の集合の混合パラメータ（２００）を受信するよう構成される受信装置（２０３）と、
前記少なくとも第１の種のリソースエレメントについての干渉推定値を決定し、前記決定された干渉推定値に対して前記受信された少なくとも第１の集合の混合パラメータ（２００）を適用して、前記少なくとも第１の種のリソースエレメントについての干渉推定値に基づいて混合干渉推定値を決定するよう構成される推定器（２０４）と、
を特徴とする、ユーザ機器（２１０）。
【請求項１９】
前記受信された少なくとも第１の集合の混合パラメータ（２００）は、少なくとも２つの異なる種類のリソースエレメントからの干渉推定値の混合を定め、前記決定される干渉推定値は、第１の種及び少なくとも第２の種のリソースエレメントについて推定され、前記決定される混合干渉は、前記干渉推定値に対して前記受信された少なくとも第１の集合の混合パラメータ（２００）が適用されて、第１の種のリソースエレメントの干渉推定値と、少なくとも第２の種のリソースエレメントの干渉推定値とに基づいて推定される、請求項１８に記載のＵＥ（２１０）。
【請求項２０】
前記受信装置（２０３）はさらに、少なくとも１つの追加的な集合の混合パラメータ（２００）を受信するよう構成され、前記推定器（２０４）はさらに、前記混合干渉推定値を繰り返し決定する際に、前記第１の集合及び前記追加的な集合の混合パラメータ（２００）を断続的に適用するよう構成される、請求項１８又は１９のいずれか１項に記載のＵＥ（２１０）。
【請求項２１】
前記第１の集合の混合パラメータ（２００）と、前記少なくとも１つの追加的な集合の混合パラメータ（２００）とは、異なる集合の干渉推定値を定める、請求項２０に記載のＵＥ（２１０）。
【請求項２２】
前記少なくとも第１の集合の混合パラメータ（２００）は、少なくとも３つの異なる種類のリソースエレメントからの干渉推定値の混合を決定し、前記推定器（２０４）はさらに、第３の種のリソースエレメントについての干渉推定値にも基づいて前記混合干渉推定値を決定するよう構成される、請求項１９〜２１のいずれか１項に記載のＵＥ（２１０）。
【請求項２３】
混合パラメータ（２００）の前記集合は重み付けを含む、請求項１８〜２２のいずれか１項に記載のＵＥ（２１０）。
【請求項２４】
前記混合パラメータ（２００）の集合は、干渉を推定すべきシンボルの集合を含み、少なくとも１つのシンボルの集合は、異なる種類のリソースエレメントを含む、請求項１８〜２３のいずれか１項に記載のＵＥ（２１０）。
【請求項２５】
前記異なる種類のリソースエレメントは、リファレンスシンボル、データシンボル、若しくは制御チャネル上のリファレンスシンボル、又はその組み合わせを含むリソースエレメント群から選択される、請求項１８〜２４のいずれか１項に記載のＵＥ（２１０）。
【請求項２６】
前記ＵＥ（２１０）はさらに、前記決定された混合干渉推定値に基づいてチャネル品質インジケータ（ＣＱＩ：ｃｈａｎｎｅｌ  ｑｕａｌｉｔｙ  ｉｎｄｉｃａｔｏｒ）（２０８）を決定するよう構成されるプロセッサ（２０６）と、前記移動通信ネットワークの前記ネットワークノード（２２０）へと前記チャネル品質インジケータ（２０８）を送信するよう構成される送信装置と、を備える、請求項１８〜２５のいずれか１項に記載のＵＥ（２１０）。
【請求項２７】
前記決定された混合干渉推定値をフィルタリングし、又は、前記少なくとも第１の種のリソースエレメントについての決定された干渉推定値をフィルタリングするよう構成されるフィルタリング手段をさらに含む、請求項１８〜２６のいずれか１項に記載のＵＥ（２１０）。
【請求項２８】
干渉推定値を決定するためのユーザ機器に無線接続可能な移動通信ネットワークのネットワークノード（２２０）であって、
前記ネットワークノード（２２０）は、
前記ユーザ機器において混合干渉推定値を決定するために使用される、少なくとも第１の種のリソースエレメントからの干渉推定値の混合を定める少なくとも第１の集合の混合パラメータ（２００）を定めるよう構成されるプロセッサ（２０１）と、
少なくとも第１の種のリソースエレメントからの干渉推定値の混合を定める前記少なくとも第１の集合の混合パラメータ（２００）を、前記ユーザ機器（２１０）へと送信するよう構成される送信装置（２０２）と、
を特徴とする、ネットワークノード（２２０）。
【請求項２９】
前記プロセッサ（２０１）は、混合パラメータ（２００）が少なくとも２つの異なる種類のリソースエレメントからの干渉推定値の混合を定めるように、前記少なくとも第１の集合の混合パラメータ（２００）を定めるよう構成される、請求項２８に記載のネットワークノード（２２０）。
【請求項３０】
前記プロセッサ（２０１）は、混合パラメータ（２００）が重み付けを含むように、前記少なくとも第１の集合の混合パラメータ（２００）を定めるよう構成される、請求項２８又は２９のいずれか１項に記載のネットワークノード（２２０）。
【請求項３１】
前記プロセッサ（２０１）は、混合パラメータ（２００）が干渉を推定すべきシンボルの集合を含み、少なくとも１つのシンボルの集合は異なる種類のリソースエレメントを含むように、前記少なくとも第１の集合の混合パラメータ（２００）を定めるよう構成される、請求項２８〜３０のいずれか１項に記載のネットワークノード（２２０）。
【請求項３２】
前記異なる種類のリソースエレメントは、リファレンスシンボル、データシンボル、若しくは制御チャネル上のリファレンスシンボル、又はその組み合わせを含むリソースエレメント群から選択される、請求項２８〜３１のいずれか１項に記載のネットワークノード（２２０）。
【請求項３３】
前記送信装置（２０２）は、ブロードキャストチャネル上で前記少なくとも第１の集合の混合パラメータを送信するよう構成される、請求項２８〜３２のいずれか１項に記載のネットワークノード（２２０）。
【請求項３４】
前記送信装置（２０２）は、専用チャネル上で前記少なくとも第１の集合の混合パラメータを送信するよう構成される、請求項２８〜３２のいずれか１項に記載のネットワークノード（２２０）。
【発明の詳細な説明】
【技術分野】
【０００１】
本発明は、移動通信システムにおける方法及び構成に関し、特に、通信システムにおける干渉推定のための方法及び構成に関する。
【背景技術】
【０００２】
ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）地上波無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）は、第３世代（３Ｇ）移動通信ネットワークの１つである。ロングタームエボリューション（ＬＴＥ）とも呼ばれる発展型ＵＭＴＳ地上波無線アクセスネットワーク（Ｅ−ＵＴＲＡＮ）は、３ＧＰＰによって標準化されている。ロングタームエボリューション（ＬＴＥ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において、高速データレート、改善された効率性、コストの低減のようなサービスの改善という点で将来的な要件に対処するために、高速パケットアクセス機能によってＵＭＴＳ標準規格を改善するためのプロジェクトである。
【０００３】
Ｅ−ＵＴＲＡＮは、典型的に、図１に示されるように、無線基地局１３０Ａ〜Ｄに無線接続されたユーザ機器（ＵＥ：ｕｓｅｒ  ｅｑｕｉｐｍｅｎｔ）１２０を含む。Ｅ−ＵＴＲＡＮにおいて、無線基地局１３０Ａ〜Ｄは、例えばモビリティ管理エンティティ（ＭＭＥ：ｍｏｂｉｌｉｔｙ  ｍａｎａｇｅｍｅｎｔ  ｅｎｔｉｔｙ）を介して、コアネットワーク（ＣＮ：ｃｏｒｅ  ｎｅｔｗｏｒｋ）１００へと直接的に接続される。さらに、無線基地局１３０Ａ〜Ｄは、インターフェイスを介して互いに接続される。基地局は通常、ＵＴＲＡＮにおいてはＮｏｄｅＢと呼ばれ、Ｅ−ＵＴＲＡＮにおいてはｅＮｏｄｅＢと呼ばれる。Ｅ−ＵＴＲＡＮにおいて、各無線基地局１３０Ａ〜Ｄは、各セル内のユーザ機器へのデータ送信のための直交周波数分割多重（ＯＦＤＭ：Ｏｒｔｈｏｇｏｎａｌ  Fｒｅｑｕｅｎｃｙ−Ｄｉｖｉｓｉｏｎ  Ｍｕｌｔｉｐｌｅｘｉｎｇ）時間−周波数グリッド１４０を利用する。様々な基地局から送信されるＯＦＤＭ時間−周波数グリッドは互いに干渉し、これによってＥ−ＵＴＲＡＮにおけるチャネル品質が下がる。基地局から送信されるＯＦＤＭ時間−周波数グリッド１４０の一部が、図１に示されている。グリッド１４０は、異なる種類の送信リソースエレメントで構成される。例えば、データ送信のために使用される送信リソースエレメント１６０、例えばリファレンスシンボル（ＲＳ：ｒｅｆｅｒｅｎｃｅ  ｓｙｍｂｏｌ）１５０、１８０が存在する。よって、リファレンスシンボルは、データ送信のために使用される送信リソースエレメント１６０と、制御シグナリングのために使用される送信リソースエレメント１７０との両方の中に配置されうる。これら３つの種類の送信リソースについての干渉状況は異なりうる。このことは、各送信リソースエレメントに異なる電力制御が行なわれること、及び、伝搬チャネル、及び周波数帯域の異なる部分における分散量に対して、様々なフェージング（ｆａｄｉｎｇ）が生じることに依存している。
【０００４】
無線基地局は、例えば、適切なデータレート、変調方式、及び送信電力を決定するためにチャネルが如何に「良好」（“ｇｏｏｄ”）であるかを、ある程度知っている必要がある。従って、移動端末は、アップリンクチャネルで無線基地局に継続的にフィードバックされるチャネル品質インジケータ（ＣＱＩ：Ｃｈａｎｎｅｌ  Ｑｕａｌｉｔｙ  Ｉｎｄｉｃａｔｏｒ）値によって、無線基地局に対してチャネル品質の測定値を提供する。移動端末は、例えば、基地局からＯＦＤＭ時間−周波数グリッドにおいて送信される共通のリファレンスシンボル（ＲＳ）１５０に対して行なわれる測定に基づいて、ＣＱＩ値を決定する。セル間の雑音及び干渉は、例えばＣＱＩを推定する際に重要な数量である。雑音及び干渉の量の知識はさらに、情報を正しく復調することが出来るために重要である。各基地局から送信されるＯＦＤＭ時間周波数グリッドにおける共通のリファレンスシンボル（ＲＳ）は、干渉を推定するために使用されうる。受信信号「ｒ」はｒ＝Ｈｓ＋ｎとして表され、但し「Ｈ」はチャネル応答であり、「ｓ」は送信されたシンボルを表し、「ｎ」は未知の雑音及び干渉を表す。ＲＳについての干渉は、Ｉ＿ＲＳと表されるが、「ｓ」が既知のシンボルを含み「Ｈ」がチャネル推定器によって与えられるため推定可能であることに注意されたい。さらに、データシンボルの干渉Ｉ＿ｄもまた、データシンボルが検出され次第測定可能であり、この検出時点におけるデータシンボルは既知のシンボルと見なされうることに注意されたい。
【０００５】
問題は、リファレンスシンボルが限られており、従って特に、１つのアンテナ上でリファレンスシンボルを有する位置が隣接アンテナのためには利用されない多入力・多出力（ＭＩＭＯ：Ｍｕｌｔｉｐｌｅ  Ｉｎｐｕｔ  Ｍｕｌｔｉｐｌｅ  Ｏｕｔｐｕｔ）について、推定される干渉の統計が非常に乏しいということである。ＲＳグリッド、即ち、１つの送信（ＴＸ）アンテナの場合にリファレンスシンボルが如何に割り当てられるのかということが図１に示されている。セル間で、リファレンスシンボルが、周波数領域においてずらされる。例えば２つのＴＸアンテナについては、共通のリファレンスシンボルのために３種の周波数偏移しか存在せず、全てのデータ干渉が測定されえないことになる。さらに、この偏移が少な過ぎるため異なる偏移を異なるセルに割り当てることが困難となりうるので、この偏移を計画することも困難である。２×２のＭＩＭＯのために３つの直交パターンしか存在しないが、２つよりも多い干渉するセルが存在する可能性がある。さらに、最初の３つのＯＦＤＭシンボル１７０は、データ干渉の代わりに、制御チャネルの干渉から影響を受ける可能性もある。制御シグナリングは、ＯＦＤＭシンボルを３つまで（最初の３つ）占有しうる。ネットワークが時間同期される場合に、全てのセルからの制御チャネルが重なることになる。このことは、第１シンボル内に位置するＲＳには制御シグナリングが当たり、５番目のＯＦＤＭシンボル内に位置するＲＳにはデータが当たることを意味する。制御とデータとは異なる電力で送信されうるため、干渉が異なる可能性がある。
【０００６】
先に述べたように、制御シグナリングは、データとは異なって電力制御される可能性があり、従って、これら共通のリファレンスシンボルについて獲得される干渉推定値は、データ送信の干渉状況を反映していない可能性がある。また、サブフレームの後続部分における共通のリファレンスシンボルが削除される場合、その場合には、専用のリファレンスシンボルが代わりに挿入され、代わりにデータシンボルの干渉を測定する必要がある可能性がある。これは一般に非常に複雑なオペレーションであり、手続きを単純化する必要がある。さらに、例えばＣＱＩを計算するために干渉推定値を利用する場合に、干渉推定値のための明確な測定基準を有することが重要であることに注意されたい。このことは、ネットワークスケジューラが、リソース割り当てのために、報告されるＣＱＩを利用していることに関わっており、従って、全ての端末がＣＱＩの共通の通知を有することをスケジューラが知っていることが重要である。
【発明の概要】
【発明が解決しようとする課題】
【０００７】
従って、本発明の課題は、改善された干渉推定のための方法及び構成を実現することである。
【課題を解決するための手段】
【０００８】
本発明の第１の観点によれば、ＵＥにおける方法が提供される。ＵＥは、干渉推定値を決定するために移動通信ネットワークのネットワークノードに接続可能である。本方法において、少なくとも第１の種のリソースエレメントからの干渉推定値の集合を定める少なくとも第１の集合の混合パラメータが、受信される。干渉推定値が、少なくとも第１の種のリソースエレメントについて決定され、混合干渉推定値が、決定された干渉推定値に対して受信された少なくとも第１の集合の混合パラメータを適用して、少なくとも第１の種のリソースエレメントの干渉推定値に基づいて決定される。
【０００９】
第２の観点によれば、移動通信ネットワークのネットワークノードにおける方法が提供される。ネットワークノードは、干渉推定値を決定するためのユーザ機器に無線接続可能である。本方法において、ユーザ機器において混合干渉推定値を決定するために使用される、少なくとも第１の種のリソースエレメントからの干渉推定値の混合を定める少なくとも第１の集合の混合パラメータが定められる。少なくとも第１の種のリソースエレメントからの干渉推定値の混合を定める少なくとも第１の集合の混合パラメータが、ユーザ機器へと送信される。
【００１０】
第３の観点によれば、ＵＥが提供される。ＵＥは、干渉推定値を決定するために移動通信ネットワークのネットワークノードに接続可能である。ＵＥは、少なくとも第１の種のリソースエレメントからの干渉推定値の集合を定める少なくとも第１の集合の混合パラメータを受信するよう構成される受信装置を備える。ＵＥはさらに、少なくとも第１の種のリソースエレメントの干渉推定値を決定し、決定された干渉推定値に対して受信された少なくとも第１の集合の混合パラメータを適用して、少なくとも第１の種のリソースエレメントの干渉推定値に基づいて、混合干渉推定値を決定するよう構成される推定器を備える。
【００１１】
第４の観点によれば、移動通信ネットワークのネットワークノードが提供される。ネットワークノードは、干渉推定値を決定するためのユーザ機器に無線接続可能である。ネットワークノードは、ユーザ機器において混合干渉推定値を決定するために使用される、少なくとも第１の種のリソースエレメントからの干渉推定値の混合を定める少なくとも第１の集合の混合パラメータを定めるよう構成されるプロセッサと、少なくとも第１の種のリソースエレメントからの干渉推定値の混合を定める少なくとも第１の種の混合パラメータを、ユーザ機器へと送信するよう構成される送信装置と、を備える。
【００１２】
受信される少なくとも第１の集合の混合パラメータは、少なくとも２つの異なる種類のリソースエレメントからの干渉推定値の混合を決定しうる。この場合、決定される干渉推定値は、第１の種及び少なくとも第２の種のリソースエレメントについて推定される。決定される混合干渉は、干渉推定値に対して受信された少なくとも第１の集合の混合パラメータが適用されて、第１の種のリソースエレメントの干渉推定値と、少なくとも第２の種のリソースエレメントの干渉推定値とに基づいて推定される。
【００１３】
従って、本発明は、干渉推定値を決定する際に、各送信リソースエレメントが影響を受ける干渉が、様々な送信リソースエレメントの間で異なりうることを考慮に入れた解決策を提供する。さらに、混合干渉推定値が何に基づくべきかを制御することを可能とする、ネットワークからのシグナリングも導入される。
【発明の効果】
【００１４】
本発明の実施形態による効果は、より正確なリンク適応、電力制御、及びスケジューリングによって可能とされる、改善された容量、カバレージ、品質である。より正確なリンク適応、電力制御、及びスケジューリングは、改善された干渉推定によって可能となる。
【図面の簡単な説明】
【００１５】
以下、添付の図面を参照しながら本発明をより詳細に記載することにする。
【図１】本発明を実施することが可能な無線通信ネットワークと、如何にリファレンスシンボルが割り当てられるのかを例示した、１つのアンテナのために使用される送信リソースエレメントと、を概略的に示す。
【図２】本発明の実施形態に係るユーザ機器及び無線基地局を示す。
【図３】本発明の実施形態に係る方法のフローチャートである。
【図４】本発明の実施形態に係る方法のフローチャートである。
【図５】本発明の実施形態に係る方法のフローチャートである。
【発明を実施するための形態】
【００１６】
以下の記載において、限定ではなく解説を目的として、本発明の一貫した理解を提供するために、特定の順序のステップ、シグナリングプロトコル、装置構成のような特定の詳細が記載される。これら特定の詳細から逸脱した他の実施形態において本発明を実施しうることが、当業者には明らかであろう。
【００１７】
さらに、当業者は、本明細書で以下に解説する機能及び手段が、プログラムされたマイクロプロセッサ又は汎用コンピュータと連動してソフトウェア機能を用いて、及び／又は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）を用いて実装されうることが分かるであろう。さらに、本発明は方法及び装置の形態において主に記載されているが、本発明は、コンピュータプログラム製品において、同様に、コンピュータプロセッサと、コンピュータに接続されたメモリであって、本明細書で開示される機能を実行しうる１つ以上のプログラムにより符号化されるメモリと、を備えるシステムにおいて、具現されうることが明らかであろう。
【００１８】
本発明は、混合干渉推定を行なうためにＵＥを制御するための方法及び構成に関する。従って、混合干渉推定が何に基づくべきかを制御することを可能とする、ネットワークノード、例えば基地局からＵＥへの混合パラメータのシグナリングが導入される。混合干渉推定は、少なくとも第１の種の送信リソースエレメントに対して行なわれる干渉推定値に基づいており、混合パラメータは、少なくとも第１の種のリソースエレメントからの干渉推定値の集合を定める。様々な種類には、データの送信のために利用される送信リソースエレメントと、リファレンスシンボルと、が含まれる。リファレンスシンボルは、データ送信のために利用される送信リソースエレメントと、制御チャネル・シグナリングのために利用される送信リソースエレメントとの双方の中に配置されうる。例えば、ＬＴＥにおいては、制御チャネルは、３つのシンボルまで及びうる。
【００１９】
よって、混合パラメータは、リファレンスシンボル及びデータシンボルからの干渉推定の集合と、さらに、リファレンスシンボル、即ち、制御シグナリング又はデータシンボルのために利用されるリファレンスシンボルのみを含む集合と、定めうる。リファレンスシンボルは、共通のリファレンスシンボルと、専用のリファレンスシンボルの双方であってもよい。混合パラメータが、例えば、リファレンスシンボルのみを含む集合を定める場合に、混合は、リファレンスシンボルの部分集合のみが干渉推定のために利用されることを示しうる。従って、本発明は、干渉推定値を決定する際に、各送信リソースエレメントが影響を受ける干渉が、様々な送信リソースエレメントの間で異なりうることを考慮する解決策を提供する。
【００２０】
本発明に実施形態によれば、２つまたは３つの異なるリソース種についての干渉推定値が、混合干渉推定値を決定するために利用される。異なる種類のリソースエレメントは、混合パラメータによって定められる。混合パラメータはさらに、重み付け（ｗｅｉｇｈｔ）、又は、干渉を推定すべきシンボルの集合を含みうる。このことは、リファレンスシンボル及びデータシンボルについての干渉推定値の異なる組み合わせが、混合干渉推定値を決定するために利用されうることを意味している。さらに、例えば、リファレンスシンボル及びリファレンスシンボルの部分集合のみが混合干渉推定値のために利用され、又は、重み付けが、リファレンスシンボル及びデータシンボルに対して適用されてもよい。
【００２１】
ここで、本発明の実施形態を示す図２を参照する。図２は、無線基地局（ＢＳ：ｂａｓｅ  ｓｔａｔｉｏｎ）２２０により例示されるネットワークノードに接続されたＵＥ２１０を示している。ＢＳ２２０は、例えばデータシンボル及びリファレンスシンボルが混合干渉推定値を決定するために利用されることを定める混合パラメータ２００を定めるよう構成されたプロセッサユニット２０１を備える。ＢＳ２２０はさらに、混合パラメータ２００をＵＥ２１０へと送信するための送信装置２０２を備える。従って、ＵＥ２１０は、混合パラメータ２００を受信するための受信装置２０３と、混合パラメータ２００により定められるリソース種、即ちこの場合データシンボル及びリファレンスシンボルについての干渉を推定するよう構成された干渉推定器２０４と、を備える。干渉推定器２０４はさらに、受信された混合パラメータを適用することにより、干渉推定値に基づいて混合干渉を決定するよう構成される。
【００２２】
混合干渉値は、チャネル品質インジケータ（ＣＱＩ）２０８を決定するために利用されうる。干渉は、時間及び周波数において急速に変化しうるので、推定された特性のフィルタリングが必要となりうる。従って、空間的及び時間的に白色雑音が存在するように想定するために、ＣＱＩを決定する前に、混合干渉推定値がフィルタリング手段２０５によってフィルタリングされうる。代替策として、リソースエレメント種についての少なくとも１つの干渉推定値が、混合干渉推定値が決定される前にフィルタリングされうる。例えば、混合干渉推定値がリファレンスシンボル及びデータシンボルについての干渉推定値に基づくべきであることを混合パラメータが示す場合に、リファレンスシンボルについての推定された干渉、及び／又は、データシンボルについての推定された干渉が、混合干渉値が決定される前に、フィルタリングされうる。
【００２３】
フィルタリング手段２０５は、ネットワークにより制御されうるが、このことは、ＢＳ２２０の送信装置２０２がさらに、ＵＥ２１０に対してフィルタ構成２１１をシグナリングするよう構成されるということを意味している。フィルタ構成２１１は、処理手段２０１により定められ、忘却因子のようなフィルタパラメータ、又は、フィルタリング手段２０５の時間／周波数グリッドを含みうる。
【００２４】
従って、ＵＥ２１０の受信装置２０３はさらに、当該フィルタ構成２１１を受信し、これをフィルタ手段２０５へと適用するよう構成される。ＵＥ２１０は、この記載された実施形態によれば、フィルタリング手段２０５と、フィルタリングされた混合干渉推定値に基づいてＣＱＩ２０８を決定するためのプロセッサ２０６と、ＣＱＩ２０８をＢＳ２２０へと送信するための送信装置２０７と、を備える。ＢＳ２２０は、ＣＱＩ２０８を受信するための受信装置を含み、ＣＱＩ２０８は、スケジューリング及び電力制御のためにＢＳ２２０内の処理手段２１１によって使用されうる。しかしながら、本発明の実施形態がフィルタリング手段２０５無しでも利用されうることに注意されたい。
【００２５】
ネットワークノードからＵＥへと送信される混合パラメータを用いて、ネットワークは、ＵＥがどのように混合干渉推定値を決定するのかを制御することが出来る。混合パラメータ２００は、様々なＵＥのために個別に、又は、ＵＥ群のために同じやり方で定められうる。混合パラメータ２００がＵＥ群のために同じやり方で定められる場合に、混合パラメータ２００は、ＵＥへとブロードキャストされうる。
【００２６】
混合パラメータは、例えば、標準規格の一部であってもよく、又は、ネットワーク（ｅＮｏｄｅＢ）により決定されうる。厳密にどのように混合パラメータを選択するかは、システムに依存する。例えば制御シグナリングからの複数の干渉が見込まれる場合、このことは、制御部分に対応する干渉項が例えばより大きな重み付けを得るように、混合パラメータに反映されうる。同様の論理が、他の項にも適用されうる。どのように混合パラメータを設定するかは、システム内の負荷と、干渉が如何に突発的（ｂｕｒｓｔｙ）であるかということに依存する。好適に、ＵＥに対してシグナリングすることが可能な幾つかの所定の混合が存在する。幾つかの様々な例が、以下で記載される。
【００２７】
１つの実施形態によれば、混合パラメータ２００は、異なる種類のリソースエレメントのための重み付けのベクトルを含み、例えば、｛Ｍ＿ＲＳ、Ｍ＿ｄ｝、但し、Ｍ＿ＲＳはリファレンスシンボルの干渉推定に適用される重み付けであり、Ｍ＿ｄはデータシンボルの干渉推定に適用される重み付けである。この場合に、ＵＥ２１０は、以下の数式に従って、混合干渉推定値を決定しうる。
Ｉ＿ｍｉｘ＝（Ｍ＿ＲＳ×Ｉ＿ＲＳ）＋（Ｍ＿ｄ×Ｉ＿ｄ）
但し、Ｉ＿ｍｉｘは混合干渉であり、Ｉ＿ＲＳはリファレンスシンボルについて推定された干渉であり、Ｍ＿ｄは、データシンボルについて推定された干渉である。
【００２８】
混合パラメータ２００はさらに、干渉を推定すべきシンボル、例えば、更なる実施形態によればリファレンスシンボルもあり、データシンボルもあるが、当該シンボルの集合を記載する。シンボルの集合は、良好な干渉推定を達成するために送信リソースエレメントを介して分散されるシンボルを含みうる。
【００２９】
本発明の実施形態によれば、ネットワークノード２２０は、１つのＵＥ２１０のための混合パラメータの複数の集合を定め、混合パラメータ２００は、異なる集合の間で異なっている。混合パラメータの複数の集合の利用は、時間依存的（ｔｉｍｅ−ｄｅｐｅｎｄｅｎｔ）でありうる。混合干渉推定値が繰り返し決定される場合に、第１の集合の混合パラメータ２００及び追加的な集合の混合パラメータが、断続的に適用されうる。
【００３０】
送信リソースエレメントの種類、及び、部分集合又は重み付け係数の選択は、幾つかの要因に基づく可能性があり、さらに、混合干渉推定値の所望の利用に依存する。リファレンスシンボルの干渉は、典型的により一定であるが、データ送信のための利用される送信リソースエレメントに対する負荷を反映していない。データ送信のために利用される送信リソースエレメントに対する干渉は変動し、追跡することが困難であるが、トラフィック負荷や空間−時間的変化を反映している。制御チャネル上の負荷は、制御シグナリングのために利用される送信リソースエレメントの干渉に反映される。
【００３１】
ここで、本発明の一実施形態に係るＵＥにおける方法のフローチャートである図３を参照する。
【００３２】
ステップ３０１において、少なくとも第１の種のリソースエレメントからの干渉推定値の集合を決定する、少なくとも第１の集合の混合パラメータが受信される。少なくとも第１の種のリソースエレメントの干渉推定値がステップ３０２で決定され、混合干渉推定値が、ステップ３０３において決定される。混合干渉推定値は、決定された干渉推定値に対して受信された少なくとも第１の種の混合パラメータを適用して（ステップ３０３Ａ）、少なくとも第１の種のリソースエレメントの干渉推定値に基づく。
【００３３】
先に述べたように、受信された少なくとも第１の集合の混合パラメータは、少なくとも２つの異なる種類のリソースエレメントからの干渉推定値の混合を定め、決定される干渉推定値は、第１の種、及び、少なくとも第２の種のリソースエレメントについて推定される。従って、決定される混合干渉は、干渉推定値に対して受信された少なくとも第１の集合の混合パラメータが適用されて、第１の種のリソースエレメントの干渉推定値と、少なくとも第２の種のリソースエレメントの干渉推定値とに基づいて推定される。
【００３４】
少なくとも第１の集合の混合パラメータは、少なくとも３つの異なる種類のリソースエレメントからの干渉推定値の混合を定めうることに注意されたい。この場合、混合干渉推定値は、第３の種のリソースエレメントの干渉推定値にも基づいている。
【００３５】
異なる種類のリソースエレメントは、リファレンスシンボル、データシンボル、若しくは制御チャネル上のリファレンスシンボル、又はその組み合わせを含むリソースエレメント群から選択される。先に述べたように、混合パラメータの集合は、リソースエレメントの種類に加えて、重み付け、及び／又は、干渉を推定すべきシンボルを含みうる。
【００３６】
図３をさらに参照すると、ステップ３０４において、決定された混合干渉推定値がフィルタリングされる。図２との関連で先に検討したように、第１の種のリソースエレメントについての決定された干渉推定値はさらに、混合干渉が決定される前にフィルタリングされうることに注意されたい。
【００３７】
混合干渉推定値を利用することにより計算されるチャネル品質インジケータ（ＣＱＩ）が、ステップ３０５において決定され、ステップ３０６において、ＣＱＩがネットワークノードへと送信される。
【００３８】
図４は、更なる実施形態に係る方法のフローチャートである。本実施形態において、１つの追加的な集合の混合パラメータが、ネットワークノードから受信され、混合干渉推定値を決定するために利用される。ステップ４０１〜ステップ４０６はそれぞれ、図３のステップ３０１〜３０６それぞれに対応する。従って、これらステップの更なる解説は省略する。４０１Ａにおいて、少なくとも１つの追加的な集合の混合パラメータが受信され、ステップ４０３において、混合干渉推定値が繰り返し決定される場合に、第１の集合及び追加的な集合の混合パラメータが断続的に適用される。
【００３９】
第１の集合の混合パラメータは、追加的な集合の混合パラメータとは異なりうる。即ち、第１の集合の混合パラメータは、データシンボルとリファレンスシンボルとが混合干渉のために利用されることを定め、追加的な集合の混合パラメータは、制御シグナリングのために利用されるリファレンスシンボルのみが混合干渉推定値を決定するために利用されることを定めうる。さらに、第１の集合の混合パラメータはさらに、干渉を推定すべき第１の集合のシンボルを含み、追加的な集合の混合パラメータはさらに、干渉を推定すべき第２の集合のシンボルを含みうる。代替的に、第１の集合の混合パラメータは、第１の集合の重み付けを含み、追加的な集合の混合パラメータは、第２の集合の重み付けを含みうる。
【００４０】
ここで、図５を参照するが、図５は、ユーザ機器に無線接続可能な移動通信ネットワークのネットワークノードにおける方法を示している。ステップ５０１において、少なくとも第１の集合の混合パラメータが定められ、混合パラメータは、ユーザ機器において混合干渉推定値を決定するために利用される少なくとも第１の種のリソースエレメントからの干渉推定値の混合を定める。ステップ５０２において、少なくとも第１の集合の混合パラメータがユーザ機器へと送信される。ステップ５０３においてＣＱＩが受信され、ＣＱＩは混合干渉推定値に基づいて決定される。
【００４１】
少なくとも第１の集合の混合パラメータがＵＥ群のために定められる場合に、混合パラメータの集合は、ブロードキャストチャネル上で送信されうる。反対に、少なくとも第１の集合の混合パラメータがＵＥのために個別に定められる場合に、混合パラメータの集合は、専用チャネル上で送信される。
【００４２】
本発明の実施形態に従って異なる種類の送信リソースエレメントからの混合干渉推定値を決定できることによって、より正確な干渉推定を行なうことが可能であり、このことは、より正確リンク適応、電力制御、及びスケジューリングにより、容量、カバレージ、及び品質が改善されることに繋がる。
【００４３】
特定の実施形態（特定の装置構成、及び、様々な方法における特定の順序のステップを含む）を参照しながら本発明を記載してきたが、当業者は、本発明が、本明細書に記載され示される特定の実施形態に限定されないことが分かるであろう。従って、この開示は例示的なものであると了解される。よって本発明は、本明細書に添付の請求項の範囲によってのみ限定されるものとする。
【図１】
2011503944.tif 000003
【図２】
2011503944.tif 000004
【図３】
2011503944.tif 000005
【図４】
2011503944.tif 000006
【図５】
2011503944.tif 000007
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
移動通信ネットワークのネットワークノードに接続可能なユーザ機器における干渉推定値を決定する方法であって、
前記方法は、
前記ネットワークノードから少なくとも第１の集合の混合パラメータを受信するステップ（３０１；４０１）であって、前記混合パラメータはＯＦＤＭ時間−周波数グリッドの少なくとも第１の種のリソースエレメントのための干渉推定値の集合を定める、前記受信するステップ（３０１；４０１）と、
前記少なくとも第１の種のリソースエレメントについての干渉推定値を決定するステップ（３０２；４０２）と、
前記決定された干渉推定値に対して前記受信された少なくとも第１の集合の混合パラメータを適用して、前記少なくとも第１の種のリソースエレメントについての干渉推定値に基づいて、混合干渉推定値を決定するステップ（３０３；４０３）と、
を特徴とする、方法。
【請求項２】
前記受信された少なくとも第１の集合の混合パラメータは、少なくとも２つの異なる種類のリソースエレメントのための干渉推定値の混合を定め、前記決定される干渉推定値は、第１の種及び少なくとも第２の種のリソースエレメントについて推定され、前記決定される混合干渉は、前記干渉推定値に対して前記受信された少なくとも第１の集合の混合パラメータが適用されて、第１の種のリソースエレメントの干渉推定値と、少なくとも第２の種のリソースエレメントの干渉推定値とに基づいて推定される、請求項１に記載の方法。
【請求項３】
少なくとも１つの追加的な集合の混合パラメータを受信するステップ（４０１Ａ）と、
前記混合干渉推定値を繰り返し決定する際に、前記第１の集合及び前記追加的な集合の混合パラメータを断続的に適用するステップ（４０３Ａ）と、
をさらに含む、請求項１又は２のいずれか１項に記載の方法。
【請求項４】
前記第１の集合の混合パラメータ及び前記少なくとも１つの追加的な集合の混合パラメータは、異なる集合の干渉推定値を定める、請求項３に記載の方法。
【請求項５】
前記少なくとも第１の集合の混合パラメータは、少なくとも３つの異なる種類のリソースエレメントのための干渉推定値の混合を定め、前記混合干渉推定値の前記決定は、第３の種のリソースエレメントの干渉推定値にも基づく、請求項２〜４のいずれか１項に記載の方法。
【請求項６】
混合パラメータの前記集合は重み付けを含む、請求項１〜５のいずれか１項に記載の方法。
【請求項７】
前記混合パラメータの集合は、干渉を推定すべきシンボルの集合を含み、少なくとも１つのシンボルの集合は、異なる種類のリソースエレメントを含む、請求項１〜６のいずれか１項に記載の方法。
【請求項８】
前記異なる種類のリソースエレメントは、リファレンスシンボル、データシンボル、若しくは制御チャネル上のリファレンスシンボル、又はその組合せを含むリソースエレメント群から選択される、請求項１〜７のいずれか１項に記載の方法。
【請求項９】
前記決定された混合干渉推定値に基づいてチャネル品質インジケータを決定するステップ（３０５；４０５）と、
前記移動通信ネットワークの前記ネットワークノードへと前記チャネル品質インジケータを送信するステップ（３０６；４０６）と、
をさらに含む、請求項１〜８のいずれか１項に記載の方法。
【請求項１０】
前記決定された混合干渉推定値をフィルタリングし、又は、前記少なくとも第１の種のリソースエレメントについての前記決定された干渉推定値をフィルタリングするステップ（３０４）をさらに含む、請求項１〜９のいずれか１項に記載の方法。
【請求項１１】
ユーザ機器に無線接続可能な移動通信ネットワークのネットワークノードにおける干渉推定値を決定する方法であって、
前記方法は、
前記ユーザ機器において混合干渉推定値を決定するために使用される、ＯＦＤＭ時間−周波数グリッドの少なくとも第１の種のリソースエレメントのための干渉推定値の混合を定める少なくとも第１の集合の混合パラメータを定めるステップ（５０１）と、
少なくとも第１の種のリソースエレメントからの干渉推定値の混合を定める前記少なくとも第１の集合の混合パラメータを、前記ユーザ機器へと送信するステップ（５０２）と、
を特徴とする、方法。
【請求項１２】
前記少なくとも第１の集合の混合パラメータは、少なくとも２つの異なる種類のリソースエレメントのための干渉推定値の混合を定める、請求項１１に記載の方法。
【請求項１３】
混合パラメータの前記集合は重み付けを含む、請求項１１又は１２のいずれか１項に記載の方法。
【請求項１４】
前記混合パラメータの集合は、干渉を推定すべきシンボルの集合を含み、少なくとも１つのシンボルの集合は、異なる種類のリソースエレメントを含む、請求項１１〜１３のいずれか１項に記載の方法。
【請求項１５】
前記異なる種類のリソースエレメントは、リファレンスシンボル、データシンボル、若しくは制御チャネル上のリファレンスシンボル、又はその組み合わせを含むリソースエレメント群から選択される、請求項１１〜１４のいずれか１項に記載の方法。
【請求項１６】
前記送信される前記少なくとも第１の集合の混合パラメータは、ブロードキャストチャネルで送信される、請求項１１〜１５のいずれか１項に記載の方法。
【請求項１７】
前記送信される前記少なくとも第１の集合の混合パラメータは、専用チャネルで送信される、請求項１１〜１５のいずれか１項に記載の方法。
【請求項１８】
移動通信ネットワークのネットワークノードに接続可能な、干渉推定値を決定するためのユーザ機器（ＵＥ：ｕｓｅｒ  ｅｑｕｉｐｍｅｎｔ）（２１０）であって、
前記ＵＥは、
前記ネットワークノードから少なくとも第１の集合の混合パラメータ（２００）を受信するよう構成される受信装置（２０３）であって、前記混合パラメータはＯＦＤＭ時間−周波数グリッドの少なくとも第１の種のリソースエレメントのための干渉推定値の集合を定める、前記受信装置（２０３）と、
前記少なくとも第１の種のリソースエレメントについての干渉推定値を決定し、前記決定された干渉推定値に対して前記受信された少なくとも第１の集合の混合パラメータ（２００）を適用して、前記少なくとも第１の種のリソースエレメントについての干渉推定値に基づいて混合干渉推定値を決定するよう構成される推定器（２０４）と、
を特徴とする、ユーザ機器（２１０）。
【請求項１９】
前記受信された少なくとも第１の集合の混合パラメータ（２００）は、少なくとも２つの異なる種類のリソースエレメントのための干渉推定値の混合を定め、前記決定される干渉推定値は、第１の種及び少なくとも第２の種のリソースエレメントについて推定され、前記決定される混合干渉は、前記干渉推定値に対して前記受信された少なくとも第１の集合の混合パラメータ（２００）が適用されて、第１の種のリソースエレメントの干渉推定値と、少なくとも第２の種のリソースエレメントの干渉推定値とに基づいて推定される、請求項１８に記載のＵＥ（２１０）。
【請求項２０】
前記受信装置（２０３）はさらに、少なくとも１つの追加的な集合の混合パラメータ（２００）を受信するよう構成され、前記推定器（２０４）はさらに、前記混合干渉推定値を繰り返し決定する際に、前記第１の集合及び前記追加的な集合の混合パラメータ（２００）を断続的に適用するよう構成される、請求項１８又は１９のいずれか１項に記載のＵＥ（２１０）。
【請求項２１】
前記第１の集合の混合パラメータ（２００）と、前記少なくとも１つの追加的な集合の混合パラメータ（２００）とは、異なる集合の干渉推定値を定める、請求項２０に記載のＵＥ（２１０）。
【請求項２２】
前記少なくとも第１の集合の混合パラメータ（２００）は、少なくとも３つの異なる種類のリソースエレメントからの干渉推定値の混合を決定し、前記推定器（２０４）はさらに、第３の種のリソースエレメントについての干渉推定値にも基づいて前記混合干渉推定値を決定するよう構成される、請求項１９〜２１のいずれか１項に記載のＵＥ（２１０）。
【請求項２３】
混合パラメータ（２００）の前記集合は重み付けを含む、請求項１８〜２２のいずれか１項に記載のＵＥ（２１０）。
【請求項２４】
前記混合パラメータ（２００）の集合は、干渉を推定すべきシンボルの集合を含み、少なくとも１つのシンボルの集合は、異なる種類のリソースエレメントを含む、請求項１８〜２３のいずれか１項に記載のＵＥ（２１０）。
【請求項２５】
前記異なる種類のリソースエレメントは、リファレンスシンボル、データシンボル、若しくは制御チャネル上のリファレンスシンボル、又はその組み合わせを含むリソースエレメント群から選択される、請求項１８〜２４のいずれか１項に記載のＵＥ（２１０）。
【請求項２６】
前記ＵＥ（２１０）はさらに、前記決定された混合干渉推定値に基づいてチャネル品質インジケータ（ＣＱＩ：ｃｈａｎｎｅｌ  ｑｕａｌｉｔｙ  ｉｎｄｉｃａｔｏｒ）（２０８）を決定するよう構成されるプロセッサ（２０６）と、前記移動通信ネットワークの前記ネットワークノード（２２０）へと前記チャネル品質インジケータ（２０８）を送信するよう構成される送信装置と、を備える、請求項１８〜２５のいずれか１項に記載のＵＥ（２１０）。
【請求項２７】
前記決定された混合干渉推定値をフィルタリングし、又は、前記少なくとも第１の種のリソースエレメントについての決定された干渉推定値をフィルタリングするよう構成されるフィルタリング手段をさらに含む、請求項１８〜２６のいずれか１項に記載のＵＥ（２１０）。
【請求項２８】
干渉推定値を決定するためのユーザ機器に無線接続可能な移動通信ネットワークのネットワークノード（２２０）であって、
前記ネットワークノード（２２０）は、
前記ユーザ機器において混合干渉推定値を決定するために使用される、ＯＦＤＭ時間−周波数グリッドの少なくとも第１の種のリソースエレメントのための干渉推定値の混合を定める少なくとも第１の集合の混合パラメータ（２００）を定めるよう構成されるプロセッサ（２０１）と、
少なくとも第１の種のリソースエレメントからの干渉推定値の混合を定める前記少なくとも第１の集合の混合パラメータ（２００）を、前記ユーザ機器（２１０）へと送信するよう構成される送信装置（２０２）と、
を特徴とする、ネットワークノード（２２０）。
【請求項２９】
前記プロセッサ（２０１）は、混合パラメータ（２００）が少なくとも２つの異なる種類のリソースエレメントのための干渉推定値の混合を定めるように、前記少なくとも第１の集合の混合パラメータ（２００）を定めるよう構成される、請求項２８に記載のネットワークノード（２２０）。
【請求項３０】
前記プロセッサ（２０１）は、混合パラメータ（２００）が重み付けを含むように、前記少なくとも第１の集合の混合パラメータ（２００）を定めるよう構成される、請求項２８又は２９のいずれか１項に記載のネットワークノード（２２０）。
【請求項３１】
前記プロセッサ（２０１）は、混合パラメータ（２００）が干渉を推定すべきシンボルの集合を含み、少なくとも１つのシンボルの集合は異なる種類のリソースエレメントを含むように、前記少なくとも第１の集合の混合パラメータ（２００）を定めるよう構成される、請求項２８〜３０のいずれか１項に記載のネットワークノード（２２０）。
【請求項３２】
前記異なる種類のリソースエレメントは、リファレンスシンボル、データシンボル、若しくは制御チャネル上のリファレンスシンボル、又はその組み合わせを含むリソースエレメント群から選択される、請求項２８〜３１のいずれか１項に記載のネットワークノード（２２０）。
【請求項３３】
前記送信装置（２０２）は、ブロードキャストチャネル上で前記少なくとも第１の集合の混合パラメータを送信するよう構成される、請求項２８〜３２のいずれか１項に記載のネットワークノード（２２０）。
【請求項３４】
前記送信装置（２０２）は、専用チャネル上で前記少なくとも第１の集合の混合パラメータを送信するよう構成される、請求項２８〜３２のいずれか１項に記載のネットワークノード（２２０）。
【国際調査報告】
2011503944.tif 000008
2011503944.tif 000009
2011503944.tif 000010